Podtech/llm-jp-corpus-v4-ja_patent huggingface dataset:
(57)【要約】      （修正有）【課題】パークゴルフボールを捕球抱持するのみならず、捕球具からの放球（脱球）まで行う。【解決手段】外管３とこの外管内を摺動する摺動軸４から成り外管の一端に適当な弾性材からなる捕球具２を固定し、捕球具の固定側に摺動軸が貫通する穴部を設け、摺動軸を介して球体を押圧することによって球体を離脱（放球）出来るようにする。【選択図】図１
0003138821.tif 000002
【実用新案登録請求の範囲】
【請求項１】
外管と該外管内を摺動する軸から成る摺動軸の、前記外管の一端に球体を抱持できる捕球具を固定し捕球抱持するとともに、捕球具の固定側端にある摺動軸端を摺動することにより放球することを目的とする捕球放球具。
【考案の詳細な説明】
【技術分野】
【０００１】  この考案はパークゴルフボールを弾性部材で形成された捕球具で捕球抱持放球することを目的とした捕球具に関する。
【背景技術】
【０００２】  パークゴルフボールを捕球し抱持するものは有るが放球手段を付設したものは未だ一般化されていない。
【考案が解決しようとする課題】
【０００３】  前述のようにパークゴルフボールを捕球抱持するものはあるが捕球具からの放球（脱球）は手で行うものでありこの不便を放球手段の付設により解決するものである。
【課題を解決するための手段】
【０００４】  即ちこの考案は、外管とこの外管内を摺動する摺動軸から成り外管の一端に適当な弾性材からなる捕球具を固定し、捕球具の固定側に前記摺動軸が貫通する穴部を設け摺動軸を介して球体を押圧することによって球体を離脱（放球）出来るようにして課題を解決している。
【考案の実施形態】
【０００５】  外筒の一端に球体を弾性抱持出来る捕球具を付設し、球体を捕球抱持放球することを目的としたパークゴルフボールの捕球具である。
【実施例１】
【０００６】  以下、添付図面に従って説明する。１は球体（パークゴルフボール）、２は弾性体で整形された捕球具である。【０００７】  ３は硬質プラスチック、金属等適宣素材を用いた外管であり、外管の一端に図のごとく２の捕球具を固定する。【０００８】  ４は上記素材を用いて形成されている摺動軸であり、外管３より摺動軸４の抜け防止のストッパー板５、及び押し出しに使用する引き金６を摺動軸４の上端にとりつけてある。【０００９】  捕球具２を球体１の上より覆うように載せ摺動杆外管３を押圧する事により捕球具２が弾性変形して球体を包み込み捕球抱持する。【００１０】  前記ように捕球抱持した状態で引き金６を押圧することにより摺動軸４が摺動しストッパー板５で球体１が押圧され捕球具２が弾性変形し球体は脱落（放球）する。
【考案の効果】
【００１１】  この考案は内軸摺動棒の先端に捕球具を固定したパークゴルフボールの捕球具であり、捕球具を使用することにより次ぎに述べる事柄を解決及び軽減する。
（１）ホールインしたボールを拾球（捕球）の際、腰を深く屈めることなく捕球することが出来るので腰の負担を軽減する。
（２）ボールをテーアップするとき考案の捕球具にてテーの上に放球するとテーアップが出来る。
（４）グランドは天候に左右され露雨霜等で濡れ汚れている、従ってボールも同じく、寒冷時の素手での捕球抱持は耐え難いものである、又濡れ手でスコアー記入はスコアー判読不能となることもある、以上の事柄をプレーを通じて考案の捕球具を使用することによりボールに手を触れないため濡れ手及び冷感等を解決するものである。
【図１】
0003138821.tif 000003
【手続補正書】
【提出日】平成19年11月1日(2007.11.1)
【手続補正１】
【補正対象書類名】明細書
【補正対象項目名】全文
【補正方法】変更
【補正の内容】
【考案の詳細な説明】
【技術分野】
【０００１】  この考案はパークゴルフボールを弾性部材で形成された捕球具で捕球抱持放球することを目的とした捕球具に関する。
【背景技術】
【０００２】  パークゴルフボールを捕球し抱持するものは有るが放球手段を付設したものは未だ一般化されていない。
【考案が解決しようとする課題】
【０００３】  前述のようにパークゴルフボールを捕球抱持するものはあるが捕球具からの放球（脱球）は手で行うものでありこの不便を放球手段の付設により解決するものである。
【課題を解決するための手段】
【０００４】  即ちこの考案は、外管とこの外管内を摺動する摺動軸から成り外管の一端に適当な弾性材からなる捕球具を固定し、捕球具の固定側に前記摺動軸が貫通する穴部を設け摺動軸を介して球体を押圧することによって球体を離脱（放球）出来るようにして課題を解決している。
【考案の実施形態】
【０００５】  外筒の一端に球体を弾性抱持出来る捕球具を付設し、球体を捕球抱持放球することを目的としたパークゴルフボールの捕球具である。
【実施例１】
【０００６】  以下、添付図面に従って説明する。１は球体（パークゴルフボール）、２は弾性体で整形された捕球具である。【０００７】  ３は硬質プラスチック、金属等適宣素材を用いた外管であり、外管の一端に図のごとく２の捕球具を固定する。【０００８】  ４は上記素材を用いて形成されている摺動軸であり、外管３より摺動軸４の抜け防止のストッパー板５、及び押し出しに使用する引き金６を摺動軸４の上端にとりつけてある。【０００９】  捕球具２を球体１の上より覆うように載せ摺動杆外管３を押圧する事により捕球具２が弾性変形して球体を包み込み捕球抱持する。【００１０】  前記ように捕球抱持した状態で引き金６を押圧することにより摺動軸４が摺動しストッパー板５で球体１が押圧され捕球具２が弾性変形し球体は脱落（放球）する。
【考案の効果】
【００１１】  この考案は内軸摺動棒の先端に捕球具を固定したパークゴルフボールの捕球具であり、捕球具を使用することにより次ぎに述べる事柄を解決及び軽減する。
（１）ホールインしたボールを拾球（捕球）の際、腰を深く屈めることなく捕球することが出来るので腰の負担を軽減する。
（２）ボールをテーアップするとき考案の捕球具にてテーの上に放球するとテーアップが出来る。
（４）グランドは天候に左右され露雨霜等で濡れ汚れている、従ってボールも同じく、寒冷時の素手での捕球抱持は耐え難いものである、又濡れ手でスコアー記入はスコアー判読不能となることもある、以上の事柄をプレーを通じて考案の捕球具を使用することによりボールに手を触れないため濡れ手及び冷感等を解決するものである。
【図面の簡単な説明】
【００１２】
【図１】  本考案であるパークゴルフボール捕球放球具の実施例を示す正面断面図である。
【符号の説明】
【００１３】１・・・球体（パークゴルフボール）
２・・・捕球具
３・・・外管
４・・・摺動軸
５・・・ストッパー板
６・・・引き金
(57)【要約】      （修正有）【課題】餌が水槽中に散らばらず衛生的、カメの陸場への昇降が容易、また、その形状が各種の水槽にしか対応できるカメの飼育台を提供する。【解決手段】本考案におけるカメ飼育台は、休息・遊戯部（１ａ）及び採餌部（１ｂ）から成る陸場（１）、斜面場（２）、浅水場（３）、脚部（５）により構成され、水槽の底に置くことで、上記問題を解決する。【選択図】図１
0003138825.tif 000002
【実用新案登録請求の範囲】
【請求項１】
休息・遊戯部（１ａ）及び採餌部（１ｂ）から成る陸場（１）、斜面場（２）、浅水場（３）、脚部（５）により構成され、水槽の底に置かれる、カメ飼育台。
【請求項２】
脚部（５）の長さが調節できる請求項１のカメ飼育台
【考案の詳細な説明】
【技術分野】
【０００１】本考案は、陸場、斜面場及びに浅水場で構成され、水槽の底に置かれる、カメの飼育台に関するものである。
【背景技術】
【０００２】従来、カメの飼育台としては、水中に置いて陸場を形成するものや、水上に浮かべて陸場を形成するもの、或いは、水槽等の側壁に固定して陸場を形成するもの等が知られている（例えば、特許文献１、特許文献２、特許文献３、特許文献４参照）。
【特許文献１】特開平９−１７２９０４号
【特許文献２】登録実用新案第３１２８６８号
【特許文献３】登録実用新案第３１３１８９４号
【特許文献４】特開平１０−１３６８３０号
【考案の開示】
【考案が解決しようとする課題】
【０００３】背景技術で述べたものは、何れも、カメに休息・遊戯するための陸場を提供するものの、採餌場所が無いため餌が水槽中に散らばり不衛生であり、また、斜面場はあるものの、浅水場が無いため、若しくは、飼育台が水に浮遊しているため、又は、斜面場及び浅水場が無いため、カメが陸場に昇降する時に、足場が無く、飼育台も動く等して不安定であり、カメの陸場への昇降が困難である、という問題点を有していた。【０００４】さらに、特許文献４に記載の発明は、台を固定させるのに吸盤を用いているため、その形状や材質が一定の水槽等の側壁にしか対応できない、という問題点も有していた。【０００５】本考案は、従来の技術の有するこのような問題点に鑑みてなされたものであり、その目的とするところは、陸場にカメの採餌場所を設けることで、水槽が不衛生と成ることを防止すると伴に、斜面場及び浅水場を設けることで、カメの陸場への昇降時の足場を確保、飼育台の不安定も解消し、カメが容易に陸場へ昇降することのできる飼育台を提供しようとするものである。また、水槽の底に置く形式とすることにより、水槽の形状や材質に捕われない飼育台を提供しようとするものである。
【課題を解決するための手段】
【０００６】上記目的を達成するために、本考案におけるカメ飼育台は、休息・遊戯部（１ａ）及び採餌部（１ｂ）から成る陸場（１）、斜面場（２）、浅水場（３）、脚部（５）により構成され、水槽の底に置かれる。少なくとも、浅水場が水面下にある状態で置かれることを特徴とする。
【考案の効果】
【０００７】本考案は、上述のとおり構成されているので、次の効果がある。【０００８】陸場にカメの採餌場所を設けることで、水槽が不衛生と成ることを防止すると伴に、斜面場及び浅水場を設けることで、カメの陸場への昇降時の足場を確保、飼育台の不安定も解消し、カメが容易に陸場へ昇降することのできる飼育台となる。また、水槽の底に置く形式とすることにより、水槽の形状や材質に捕われない飼育台となる。
【考案を実施するための最良の形態】
【０００９】本考案におけるカメ飼育台は、休息・遊戯部（１ａ）及び採餌部（１ｂ）から成る陸場（１）、斜面場（２）、浅水場（３）、脚部（５）により構成され、水槽の底に置かれる。
【実施例】
【００１０】次に、本考案について図面を参照して詳細に説明する。図１は本考案であるカメ飼育台の斜視図、図２はその正面図、図３はその側面図、図４はその平面図である。【００１１】本カメ飼育台の表面は、カメが移動し易い様、凹凸のある粗面で形成されている。形状は、休息・遊戯部及び採餌部から成る陸場、斜面場、浅水場、脚部により構成され、水槽の底に置かれる形状ならば、特に細部は限定されるものではない。【００１２】図１に示す様に、採餌部は、餌の出し入れや洗浄が容易になる様、円形の穴に取り外しの可能な皿（６）を置くことにより形成される。【００１３】採餌部以外の陸場は、カメの休息・遊戯部となる。【００１４】図１及び図３に示す様に、水面は斜面場に位置する。【００１５】図１及び図３に示す様に、浅水場は、大よそ平坦な部分で、完全に水面下に来る様にし、カメの昇降時の足場とさせる。【００１６】図１、図２及び図３に示す、後背部は、カメの水中での隠れ家となる。【００１７】脚部は、接続式や延長式等とし、その長さを可変とすることで、水位に合わせることができる。
【図面の簡単な説明】
【００１８】
【図１】本考案のカメ飼育台を示した斜視図である。
【図２】本考案のカメ飼育台を示した正面図である。
【図３】本考案のカメ飼育台を示した側面図である。
【図４】本考案のカメ飼育台を示した平面図である。
【符号の説明】
【００１９】１    陸場
１ａ  休息・遊戯部
１ｂ  採餌部
２    斜面場
３    浅水場
４    後背部
５    脚部
６    皿
Ａ    水面
【図１】
0003138825.tif 000003
【図２】
0003138825.tif 000004
【図３】
0003138825.tif 000005
【図４】
0003138825.tif 000006
(57)【要約】【課題】  本考案は、釣り公園、堤防等で使用可能な、安価で、且つ、簡易な魚誘い装置を実現する。【解決手段】  本考案は、釣り公園、堤防等の手すり８等に、取付け可能にした取付け台４に、プラモデル用途等の安価なギア付きモータ１を取付け、ギア比を低回速度で、且つ、高トルクに設定して、単３乾電池２本程度での駆動を可能にし、該ギア付きモータ１の回転軸に固定されたアーム２に設けられた滑車３で釣竿を支えるとともに、アーム２の回転によって釣竿９を上下動させることにより、安価で、且つ、簡易な魚誘い装置を実現する。【選択図】図１
0003138842.tif 000002
【実用新案登録請求の範囲】
【請求項１】
手すり等に取付け可能にした取付け台にギア付きモータを固定し、当該ギア付きモータの回転軸にアームを固定し、当該アームに設けられた滑車で釣竿を支えるとともに、当該アームの回転により釣竿を上下させることを特徴とする魚誘い装置
【考案の詳細な説明】
【技術分野】
【０００１】  本考案は、魚釣りで魚を誘うための魚誘い装置に関するものである。
【背景技術】
【０００２】  魚を誘う装置としては、釣り糸を自動的に巻き上げる電動リールの附属機能として存在していたが、乾電池駆動で、且つ、釣り公園、堤防、港等で簡易に使用できる魚誘い装置は存在していなかった。
【考案の開示】
【考案が解決しようとする課題】
【０００３】  釣り公園、堤防、港での釣りでは、釣り糸の自動巻上げ機能の必要性はなく、さらに、大きなバッテリが必要で、且つ、大型で重く、高価な電動リールは不向きである。しかし、釣竿の自動上下動等により、釣り針の近くに設けられたまき餌カゴの自動上下動によるまき餌の拡散、釣り針が自動的に動くことによる魚への誘いの必要性は高く、安価で、且つ、簡易な魚誘い装置を実現する必要があった。
【課題を解決するための手段】
【０００４】  本考案は、釣り公園、堤防等の手すり、又は、港の車止め枕木等に簡単に取付け可能にした取付け台に、プラモデル用途等の安価なギア付きモータを取付け、ギア比を低回速度で、且つ、高トルクに設定して、単３乾電池２本程度での駆動を可能にし、ギア付きモータの回転軸に固定されたアームに設けられた滑車で釣竿を支えるとともに、アームの回転によって釣竿を上下動させることにより、安価で、且つ、簡易な魚誘い装置を実現する。
【考案の効果】
【０００５】  従来技術として、特開２００６−２３８８６０「船釣り用しゃくり装置」、実開平０６−０５５３６７「釣り竿自動誘い機」があるが、両者とも釣竿を上下動させる点では同一であるが、両者ともに、釣竿全体の重量を支えて上下動させるため、乾電池での駆動が困難と考えられる点と、高価で、且つ、釣竿の取り付け、取り外しについても簡便にできるものではなく、問題があった。本考案では、釣竿の下端を地面、または、釣り場の床等に設置するため、釣り竿全体の重量が本考案の装置に掛からず、単３乾電池２本程度での駆動を可能にしており、特別な制御部分を必要とせず、且つ、プラモデル用途等の安価なギア付きモータだけで駆動するため、安価に実現でき、また、釣竿の取り付け、取り外しも簡便にできる構造を実現している。
【考案を実施するための最良の形態】
【０００６】  Ｌ型の取付け台の下端に、手すり等に固定するための固定金具を取り付け、他端の上部にギア付きモータを固定し、ギア付きモータの軸にアームを固定する。アームには、釣竿を上下動させる際のアームに掛かる抵抗を少なくし、且つ、釣竿に傷をつけないようにするため、回転可能な滑車を取付ける。スイッチ付きの電池ケースは、釣竿の邪魔にならないよう、アームの取付け位置の反対側の取付け台の裏側に固定する。地面、または、釣り場の床に下端を設置された釣竿の先端部近くを滑車に乗せると、滑車の窪みで釣竿が横にずれないように支えられて、アームが回転すると釣竿が上下動する。また、ギア付きモータが低回転速度で、且つ、高トルクに設定されているため、釣竿は単３乾電池２本程度の駆動力で上下動できる。
【実施例】
【０００７】  以下、添付図面に従って一実施例を説明する。１は低回転速度で、且つ、高トルクに設定されたギア付きモータ、２は該ギア付きモータの回転軸に固定されるアーム、３は該アームに固定される回転可能な滑車であり、４は取付け台である。ギア付きモータ１、アーム２、および、滑車３の組立ユニットは、ギア付きモータ１の部分で取付台４の上部に固定され、アーム２が縦方向に回転する構造になっている。５は電池ケース、６はスィッチであり、１０は接続線である。スィッチ６は、電池ケース５に固定され、電池ケース５は、アームの取付け位置の反対側の取付台４の裏面に固定され、接続線１０により、電池ケース５、スィッチ６、ギア付きモータ１は相互接続される。７は取付台４を手すり等に固定するための固定金具である。【０００８】  ８は釣り公園、堤防等に設置されている手すりであり、取付け台４は、固定金具７により、手すり８に固定される。９は釣竿であり、釣竿９は下部が地面、または、釣り場の床に設置され、釣竿９の先端に近い所が、滑車３に乗せられ、アーム２の回転により、釣竿９は上下に動く。滑車３には窪みがあり、釣竿９が横にずれ落ちないように保持する。また、滑車３はアーム２の回転に従い、釣竿９に接触して回転し、アーム２がスムーズに回転するようにし、且つ、釣竿９に傷をつけないようにする。【０００９】  釣竿９の上下動により、通常、釣り糸の釣り針に近いところに取付けられるまき餌カゴ、または、コマセ袋等は上下に動き、まき餌の拡散が頻繁になり、魚を寄せ集めやすくなり、且つ、釣り針の上下動により、魚の食い気を誘うことになる。
【図面の簡単な説明】
【００１０】
【図１】本考案の魚誘い装置の一実施例を示す斜視図である。
【図２】本考案の魚誘い装置の一実施例を示す正面図である。
【図３】本考案の魚誘い装置の一実施例を示す側面図である。
【符号の説明】
【００１１】１  ギア付きモータ
２  アーム
３  滑車
４  取付け台
５  電池ケース
６  スィッチ
７  固定金具
８  手すり
９  釣竿
１０  接続線
【図１】
0003138842.tif 000003
【図２】
0003138842.tif 000004
【図３】
0003138842.tif 000005
(57)【要約】【課題】  カイコの繭から抗酸化機能や保湿機能を有するセリシン、フィブロインを主とする有用成分を水溶液として十分に抽出することと、抽出後の濾過工程を簡易化することを両立させる、カイコの繭の成分の抽出用具を提供する。【解決手段】  フィルター（濾過）機能を有する袋（バッグ）にカイコの繭の破砕片または粉砕片を充填したのち、袋（バッグ）の開口部を閉じた構造の繭成分抽出用具とすることにより、煮沸水溶液抽出時に、切り繭をそのまま煮沸する方法を用いた場合のように繭の一部が水面上に浮遊することが無いので、成分が十分に抽出される。さらに繭の破砕片、または粉砕片がフィルターバッグの内部に留まるので、成分抽出後の水溶液を濾過する工程が簡略化できる。【選択図】図２
0003138845.tif 000002
【実用新案登録請求の範囲】
【請求項１】
不織布や紙、化学繊維などからなるフィルター（濾過）機能を有する袋（バッグ）に破砕、または粉砕したカイコの繭の破砕片、または粉砕片を充填し、袋（バッグ）の開口部を閉じた形態を有するセリシン、フィブロインを主とするカイコの繭の成分の抽出用具。
【考案の詳細な説明】
【技術分野】
【０００１】  本考案は、カイコの繭片を濾過機能を有する袋に充填したセリシン、フィブロインを主とする繭成分抽出用具に関するものである。
【背景技術】
【０００２】  カイコの繭から抗酸化機能や保湿機能を有するセリシン、フィブロインを主とする有用成分を抽出する方法としては、切り繭（繭の一端を切りカイコを除去したもの）を複数個（１００ミリリットルの水に２０ケから３０ケ程度）水に入れ煮沸することにより前述の成分を含んだ液体として抽出する、あるいは繭の破砕片、または粉砕片を水に入れ煮沸することにより成分を抽出したのち、フィルターにて濾過して抽出液を得る方法が一般的であった。
【考案の開示】
【考案が解決しようとする課題】
【０００３】  切り繭を煮沸する方法は、繭が内部に空気を含む球状の形態をもつため水面に浮遊するので、複数個の繭を水中に沈めるという工程を加えないと成分が十分に抽出されないという短所がある。一方、繭の破砕片、または粉砕片を煮沸する方法は、成分を抽出しやすい反面、抽出後に繭の破砕片、または粉砕片を除去するためにフィルターで濾過するという工程が必要である。いずれにしても特に一般の家庭でセリシン、フィブロイン成分を抽出して化粧水やせっけん類を作成する場合、手間がかかるものであった。
【課題を解決するための手段】
【０００４】  そこで、本考案は、以上の課題を解決すべく、繭の破砕片、または粉砕片を不織布や紙、化学繊維などからなるフィルター（濾過）機能を有する袋（バッグ）に充填して、開口部を閉じた、セリシン、フィブロインを主とする繭成分抽出用具を提供することにより、成分の抽出しやすさと省力化を両立させることを目的とした。
【考案の効果】
【０００５】  本考案の繭チップ入りフィルターバッグを用いて、煮沸水溶液によるカイコの繭のセリシン、フィブロインを主とする有用成分の抽出を行うと、切り繭をそのまま煮沸する方法を用いた場合のように繭の一部が水面上に浮遊することが無いので、成分が十分に抽出される。さらに繭の破砕片、または粉砕片がフィルターバッグの内部に留まるので、抽出後の水溶液を濾過する必要が無く、手間がかからず簡単にセリシン、フィブロインを主とする繭の有用成分の抽出と、それによる化粧水、石けん類づくりが可能になるものである。
【考案を実施するための最良の形態】
【０００６】  本考案の実施形態について図面を用いて説明する。図１は本考案品の正面図である。図２のようにフィルター（濾過）機能を有する袋（バッグ）にカイコの繭の破砕片または粉砕片を充填したのち、袋（バッグ）の開口部を閉じることにより本考案品が完成する。【０００７】  フィルター（濾過）機能を有する袋（バッグ）の素材は不織布、紙、綿、及びポリ乳酸、ポリエステル、ポリプロピレン、ポリエチレンといった周知の化学繊維のいずれかを用いる。また開口部を閉じる方法としては、素材により、ヒートシール、超音波シール、またはチャック機能付きの袋（バッグ）を用いることにより行う。
【産業上の利用可能性】
【０００８】  本考案に関わる繭チップ入りフィルターバッグは、カイコの繭のセリシン、フィブロインを主とする有用成分の抽出用具のほか、入浴剤、及びパフ、スキンパッドなどの化粧用具としても利用できるものである。
【図面の簡単な説明】
【図１】本考案に関わる繭チップ入りフィルターバッグの正面図である。
【図２】本考案に関わる繭チップ入りフィルターバッグの開口部を示した概略斜視図であり、袋（バッグ）に内容物となる繭の破砕片を充填する過程を示したものである。
【符号の説明】
１  フィルター（濾過）機能を有する袋（バッグ）
２  繭の破砕片
３  袋の開口部
【図１】
0003138845.tif 000003
【図２】
0003138845.tif 000004
(57)【要約】      （修正有）【課題】携帯用ゲーム機器プレイ中の破損事故や怪我を防止し、デジタルカメラ、携帯電話等機材の使用中、不意の落下事故を未然に防ぐ。【解決手段】携帯用ゲーム機器やデジタルカメラ、携帯電話等の機材を結び、スイベル一体型紐体の紐５ａまたは５ｂの強度を十分確保するとともに、リストストラップ１を使用者の手首に合わせてマジックテープで調整が可能で緩まない。又、取付されたスイベル４ａまたは４ｂ、５ａまたは５ｂの効果により、リーシュ６の捩れも皆無。さらに、リストストラップ１及びリーシュ６に伸縮性の素材を用い、急激な加重を和らげる働きを持たせることにより問題点を解決している。【選択図】図１
0003138805.tif 000002
【実用新案登録請求の範囲】
【請求項１】
携帯用ゲーム機器やデジタルカメラ、携帯電話等の機材と使用者の手に装着するための腕輪を結ぶ、リーシュで連結されたストラップで張力衝撃に強く、捩れず、腕からすっぽ抜けないことが特徴。
【考案の詳細な説明】
【技術分野】
【０００１】  本考案は腕に巻き付けるタイプのストラップである。
【背景技術】
【０００２】  他社のゲーム機を事例とする場合。特徴の１つであるコントローラリモコンを持ち、スイングしながらのプレイ中、腕に装着中のストラップからすっぽ抜けや紐が切れるなどの事故が多発。
【考案の開示】
【考案が解決しようとする課題】
【０００３】  ゲームプレイ中の破損事故や怪我の防止。また、ポータブルゲーム機器やデジタルカメラ、携帯電話などにも装着が可能で、腕から緩まず、捩れることなく、不意の落下事故を未然に防止するものである。
【課題を解決するための手段】
【０００４】  本考案は、携帯用ゲーム機器やデジタルカメラ、携帯電話等の機材を結ぶ、ストラップ部の紐の強度を十分確保するとともに、腕輪部を使用者の手首に合わせて調整が可能で緩まない。又、取付されたスイベルの効果により、リーシュ部の捩れも皆無。さらに、腕輪部、リーシュ部に伸縮性の素材を用い、急激な加重を和らげる働きを持たせることにより問題点を解決している。
【考案の効果】
【０００５】  上記の様に、本考案のリーシュストラップはストラップ部に様々な機材を装着できることは勿論、手軽に腕に巻き付けて固定ができ、不意の破損事故や怪我などの危険回避に繋がり、安心感が得られる。
【考案の実施するための最良の形態】
【０００６】  はじめに、ストラップ部の紐を機材の装着部の穴へ通して引出し、そこへ腕輪部本体を潜らせて通し、締め込んで固定。次に腕輪部本体のマジックテープベルトを剥がし、使用者の手首を通した後、手首に合わせ調整し、再びマジックテープベルトを腕輪本体に巻きつけながら固定して使用。
【実施例】
【０００７】  当社にて張力強度を測定したところ２５ｋｇ以上を計測。
【図面の簡単な説明】
【０００８】
【図１】本考案のリーシュ型ストラップの実施例を示す斜視図。（７の固定部材を用いた４ａ、５ａ、６から構成される形態または固定部材を一体化した４ｂ、５ｂ、６から構成される形態の２案あるが、機能は同等）
【図２】腕輪部とリーシュ部連結状態を示した展開図
【符号の説明】
１    リストストラップ
２    バックル
３    把持片
４ａまたは４ｂ  スイベル
５ａまたは５ｂ  スイベル一体型紐体
６    リーシュ
７    固定部材
８    ベルト体
９    取付帯
１０  マジックベルト
【図１】
0003138805.tif 000003
【図２】
0003138805.tif 000004
【手続補正書】
【提出日】平成19年9月13日(2007.9.13)
【手続補正１】
【補正対象書類名】実用新案登録請求の範囲
【補正対象項目名】全文
【補正方法】変更
【補正の内容】
【実用新案登録請求の範囲】
【請求項１】
機材を結ぶスイベル一体型紐体（ストラップ部）と使用者の手に装着する腕輪（腕輪部）とを、スイベルでリーシュ（リーシュ部）に連結した構成からなり、ストラップ部の紐の強度を確保し、腕輪部とリーシュ部に伸縮性の素材を用いたストラップ。
【手続補正２】
【補正対象書類名】明細書
【補正対象項目名】０００６
【補正方法】変更
【補正の内容】
【０００６】  はじめに、ストラップ部の紐を機材の装着部の穴へ通して引出し、そこへ腕輪部本体を潜らせて通し、締め込んで固定。次に腕輪部本体のマジックベルトを剥がし、使用者の手首を通した後、手首に合わせ調整し、再びマジックベルトを腕輪本体に巻きつけながら固定して使用。
(57)【要約】【課題】電車内においては立って乗車するには片手がつり革や手摺りを持つ必要があり、傘および他所有物（バッグ等）が有る場合もう片方の手でこれらを持つのは難しい。また座って乗車したとしても傘を手で支えながら且つ両足で挟み立たせて保持する等の手段しかない。車内ではほとんどの場合、車内に寝かせて置いているのが現状である。【解決手段】本器具を使用する事により傘を他所有物（バッグ等）に引掛けて立たせた状態で傘たてを補助できる。車内においても傘を立たせた状態で保管できる。【選択図】図１
0003138807.tif 000002
【実用新案登録請求の範囲】
【請求項１】
傘の本体部分を挿入できるサイズのリング、ベルト、引っ掛け部分の構成となり、車または電車等で傘が倒れないように保持する事を目的とする傘たて補助器具。
引っ掛け部分で傘所有者のカバンの取っ手部等に簡単にこの器具を装着でき、リング部に傘の本体部分を挿入して傘が倒れないように補助をするものである。
また車内ではヘッドレスト等にこの器具を装着しておき、リング部に傘を挿入し傘たての補助をするものである。
【請求項２】
前記ベルトの長さを調節できる構造とし、またはマジックテープ（登録商標）とし長さを調節できる事を特徴とする、請求項１に記載する傘たて補助器具
【請求項３】
引掛け部分にはカラビナフック等を用い、容易に取付け、取外しができるものを特徴とする請求項１に記載する傘たて補助器具
【請求項４】
電車の吊り輪を小くした形状であり、リングおよびベルト部分を装飾する事でバッグ等のアクセサリーとしても流用できる請求項１に記載する傘たて補助器具
【考案の詳細な説明】
【技術分野】
【０００１】本発明は傘を持ったまま電車等に乗車する際に、簡単にこの器具を取り出しバッグの取っ手等に装着する事により簡易傘たてとして利用できる。
また車内ではこの器具を予め装着しておけば、傘を足元に寝かせる  または傘の柄をどこかに引掛けておく等不安定な状態にする事なく、傘を立てた状態で保管できる。
【背景技術】
【０００２】車または電車内では傘を立てるもしくは引掛ける専用の備品がない。
よって電車内では手で持つか、傘の柄をつり革もしくは手摺りに引掛ける等の手段しかなかった。
車内でも同様専用の装備がないため足元に寝かせておくか傘の柄を車内のどこかに掛けて保管するしかなかった。
【考案の開示】
【考案が解決しようとする課題】
【０００３】従来、傘と他の所有物（バッグ等）を持った状態で電車等に乗る際、傘と他所有物（バッグ等）を両手で持つ必要があった。
また車内では傘たてに使える標準装備がないため、足元に寝かせておくか傘の柄を車内のどこかに掛けて保管するしかなかった。
【課題を解決するための手段】
【０００４】本発明器具を他所有物（バッグ等）に装着できる傘たての補助器具として使用すれば電車内等でのこの問題は解決する。
車内ではこの器具を予め取り付けておけば、傘を立てて保管できる。
【図面の簡単な説明】
【０００５】
【図１】図１は本器具の正面図である。  （１）  は傘本体部を挿入するリング  （２）  はベルトまたはマジックテープ（登録商標）  （３）  は引掛け部分またはカラビナフック
【図２】図２は本器具に傘を取付けた図である。  （４）  は本器具により保持されている傘  （５）  は車のシート
【図１】
0003138807.tif 000003
【図２】
0003138807.tif 000004
【手続補正書】
【提出日】平成19年10月23日(2007.10.23)
【手続補正１】
【補正対象書類名】実用新案登録請求の範囲
【補正対象項目名】全文
【補正方法】変更
【補正の内容】
【実用新案登録請求の範囲】
【請求項１】
傘の本体部分を挿入できるサイズのリング部分、引っ掛け部分、および両端にあるこれらを結ぶベルト部分からの構成となる傘たて補助器具。
【請求項２】
前記ベルトの長さを調節できる構造とし、またはマジックテープ（登録商標）とし長さを調節できる事を特徴とする、請求項１に記載する傘たて補助器具
【請求項３】
引掛け部分にはカラビナフック等を用い、容易に取付け、取外しができるものを特徴とする請求項１に記載する傘たて補助器具
【請求項４】
電車の吊り輪を小くした形状であり、リングおよびベルト部分を装飾する事でバッグ等のアクセサリーとしても流用できる請求項１に記載する傘たて補助器具
(57)【要約】      （修正有）【課題】蚊とか蝿などを容易に捕獲することを目的とする。【解決手段】３層の表面に離けい剤１に虫が好む香料を溶かした粘着剤４をスプレーで吹きつけ、害虫がとまりしだい新聞紙などを押しあてて剥ぎ取る。【選択図】図１
0003138810.tif 000002
【実用新案登録請求の範囲】
【請求項１】
本考案はポリエチレンなどの上に離けい剤を塗布したボードに虫類の好む粘着剤を塗布し蚊とか蝿を捕獲し新聞紙などを貼りつけ粘着剤もろとも剥ぎ取る装置。
【考案の詳細な説明】
【技術分野】
【０００１】本考案は粘着剤を吹きつけた板で害虫を捕獲する事を目的とする。
【考案の開示】
【考案が解決しようとする課題】
【０００２】害虫を効率よく駆除しようとする。
【課題を解決するための手段】
【０００３】本考案は板３に紙２を貼り、その上に離けい剤を焼付けたボードに粘着剤を吹きつけ、害虫を捕獲する。
【考案の効果】
【０００４】蝿とか蚊などを殺虫剤で駆除しようとすれば、人体にも悪影響が考えるが上述の粘着剤ボードは空気を汚染することなく害虫を駆除できる。
【考案を実施する為の最良の形態】
【０００５】粘着ボードは害虫の好む強力な香料が吹付けてあり、容易に捕獲できる。
【実施例】
【０００６】上述の様に粘着ボードを壁などに掛け、害虫が付着するのを待。
【産業上の利用可能性】
【０００７】魚屋など生食品などを扱う店と、家庭の部屋に蝿とか蚊が入りこんだ時に利用する。
【符号の説明】
１    離けい剤を貼き付けボード
２    紙
３    板
４    粘着剤を吹き付けた面
【図１】
0003138810.tif 000003
【図２】
0003138810.tif 000004
【手続補正書】
【提出日】平成19年10月12日(2007.10.12)
【手続補正１】
【補正対象書類名】実用新案登録請求の範囲
【補正対象項目名】全文
【補正方法】変更
【補正の内容】
【実用新案登録請求の範囲】
【請求項１】
本考案は板（３）の上に紙（２）を貼り、その上に離けい剤を塗布したボードに虫類の好む臭の粘着剤を塗布した害虫駆除ボードであり、蚊とか蝿が付着した時てんで新聞紙などを貼りつけ粘着剤もろとも剥ぎ取る装置。
【手続補正２】
【補正対象書類名】明細書
【補正対象項目名】全文
【補正方法】変更
【補正の内容】
【考案の詳細な説明】
【技術分野】
【０００１】本考案は粘着剤を吹きつけた板で害虫を捕獲する事を目的とする。
【考案の開示】
【考案が解決しようとする課題】
【０００２】害虫を効率よく駆除しようとする。
【課題を解決するための手段】
【０００３】本考案は板（３）に紙（２）を貼り、その上に離けい剤を焼付けたボードに粘着剤を吹きつけ、害虫を捕獲する
【考案の効果】。【０００４】蝿とか蚊などを殺虫剤で駆除しようとすれば、人体にも悪影響が考えられるが上述の粘着剤ボードは空気を汚染することなく害虫を駆除できる。
【考案を実施する為の最良の形態】
【０００５】粘着ボードは害虫の好む強力な香料が吹つけてあり、容易に捕獲できる。
【実施例】
【０００６】上述の様に粘着ボードを壁などに掛け、害虫が付着するのを待ち、新聞紙などで粘着剤もろ共剥ぎとる。
【産業上の利用可能性】
【０００７】魚屋など生食品を扱う店と、家庭の部屋に蝿とか蚊が入りこんだ時に利用する
【図面の簡単な説明】
【０００８】
【図１】板（３）の上に紙（２）を貼りつけ、離けい剤（１）を焼付けた三層のボードを示す。
【図２】。スプレーなどで粘着剤（４）を吹きつけた面に蚊とか蝿が付着した様子を示す。
(57)【要約】      （修正有）【課題】高輝度蓄光剤で加工又加工された物を使用することにより昼夜を問わず人工観葉植物の装飾された美しさを視る。【解決手段】人工観葉植物に高輝度蓄光剤（品名ナイトブライト）で加工  又  加工された物で装飾し暗闇になった後も楽しめるようにする。【選択図】図１
0003138806.tif 000002
【実用新案登録請求の範囲】
【請求項１】
高輝度蓄光剤（品名ナイトブライト）を人工観葉植物の葉  花に加色してなる人工観葉植物。
【請求項２】
高輝度蓄光剤（品名ナイトブライト）を加工したシートで人工観葉植物を装飾した鉢の周りに張り付けて成る人工観葉植物。
【請求項３】
高輝度蓄光剤（品名ナイトブライト）の固形の物を用いて人工観葉植物を装飾した鉢の上に  ばらまいたり  幹に埋め込んで成る人工観葉植物。
【請求項４】
高輝度蓄光剤（品名ナイトブライト）の固形の物を人工観葉植物を装飾した透明な鉢と透明な液体の中にばらまいたり  シート状の物を鉢の下に敷いたりしてなる人工観葉植物。
【考案の詳細な説明】
【考案の詳細な説明】
【技術分野】
【０００１】本考案は  太陽光や電灯の光を照射した後に暗所で発光する時間を驚異的に長く保つ  高輝度蓄光剤（品名ナイトブライト）を利用して成る人工観葉植物に関するものである。
【背景技術】
【０００２】従来からも  装飾性を加えた造花を基材として  蓄光剤をスプレーしてなる物もあるが  ほとんどは造花等の葉のみの加工であり  又  暗所の発光時間が非常に短かった。
【特許文献】特開２０００−１４０７４７  実登３１２８９２０
【考案の開示】
【考案が解決しようとする課題】
【０００３】従来の葉のみの加色にとどまらず  高輝度蓄光剤（品名ナイトブライト）の塗料化した物にとらわれず  固形化した物を３〜１５ｍｍ程度に砕いた物を用いる事により暗所での長時間の発光が可能に成り  色々な加色装飾が実施できる事を目的とする。
【課題を解決するための手段】
【０００３】この高輝度蓄光剤（品名ナイトブライト）を樹脂に混合してシート状にしたり  タイルにしたり  固形化したり等色々な形態に加工して使用する事のより暗所で長時間発光する事に成功した  その結果昼夜を問わず装飾性を保持する事が出来る。
【考案の効果】
【０００４】請求項１〜４の考案により  昼間の間に太陽光や室内照明で蓄積された光のエネルギーが夜間や照明を消した時に  其の形態に合わせて蛍光色が現出し  明るい場所と暗い場所の双方で人工観葉植物の装飾効果を発揮出来る夜行性人工観葉植物を提供できる。【０００５】夜間に長時間強く蛍光を発するためには  紫外線ランプを照射すれば  何時までも明るく光らせる事ができる。【０００６】災害時等の突然の停電の場合にも  強い蛍光を発するため  誘導効果も得られる。
【図面の簡単な説明】
【図１】高輝度蓄光剤（品名ナイトブライト）を葉や花に加工した概略図。
【図２】高輝度蓄光剤（品名ナイトブライト）を加工したシート状体を鉢の周りに張り付けた状態の斜視図。
【図３】高輝度蓄光剤（品名ナイトブライト）の固形の物を鉢の上に  ばらまいたり  幹に埋め込んだ状態の斜視図。
【図４】高輝度蓄光剤（品名ナイトブライト）の固形の物を人工観葉植物を装飾した透明な鉢と透明な液体の中にばらまいたり  シート状の物を鉢の下に敷いたりしてなる人工観葉植物の概略図。
【符号の説明】
１１  高輝度蓄光剤加工した葉。
１２  高輝度蓄光剤加工した花。
２１  高輝度蓄光剤加工したシート状体を鉢の周りに張り付けた状態。
３１  高輝度蓄光剤の固形の物を幹に埋め込んだ状態。
３２  高輝度蓄光剤の固形の物を鉢の上に  ばらまいた状態。
４１  高輝度蓄光剤で加工されたシート状の物を鉢の下に敷いた状態。
４２  高輝度蓄光剤の固形の物透明な液体の中にばらまいた状態。
【図１】
0003138806.tif 000003
【図２】
0003138806.tif 000004
【図３】
0003138806.tif 000005
【図４】
0003138806.tif 000006
【手続補正書】
【提出日】平成19年10月11日(2007.10.11)
【手続補正１】
【補正対象書類名】実用新案登録請求の範囲
【補正対象項目名】全文
【補正方法】変更
【補正の内容】
【実用新案登録請求の範囲】
【請求項１】
高輝度蓄光剤を人工観葉植物の葉  花に加工してなる人工観葉植物。
【請求項２】
高輝度蓄光剤を加工したシートで人工観葉植物を装飾した鉢の周りに張り付けて成る人工観葉植物。
【請求項３】
高輝度蓄光剤の固形の物を用いて人工観葉植物を装飾した鉢の上にばらまいたり  幹に埋め込んで成る人工観葉植物。
【請求項４】
高輝度蓄光剤の固形の物を人工観葉植物を装飾した透明な鉢と透明な液体の中にばらまいたり  シート状の物を鉢の下に敷いたりしてなる人工観葉植物。
(57)【要約】【課題】本考案を大腿と下腿に装着することにより、歩行時痛を軽減せしめる。【解決手段】本考案は、コルセットにバネ収納穴をもうけ、１、コルセット２、バネ３、ゴムテープの三者の連係により、歩行時に膝関節内部にかゝる圧力を軽減せしめるものである。【選択図】図１
0003138802.tif 000002
【実用新案登録請求の範囲】
【請求項１】
膝関節をはさんで、大腿前面下部と下腿前面上部に肌にフィットするようにコルセットを密着せしめ、その上に棒状のバネを二本宙に浮いた状態にして両端をコルセットにセットし、二本のゴムテープの両端を大腿下部に密着したコルセット上端と、下腿上部にセットしたコルセットの下端に密着固定して、歩行することにより、上記のコルセット・バネ・ゴムテープの三つの同時作用により、上体の圧力が、膝関節内部にかゝることなく、その圧力を軽減せしめること。
【考案の詳細な説明】
【技術分野】
【０００１】本考案は、これを装着して歩行した際に膝関節にかゝる体重の圧力を軽減せしめるものである。
【背景技術】
【０００２】慢性的膝痛の人はステッキ・松葉つえ・買物車等の補助具を用いて歩行していた。
【考案の開示】
【考案が解決しようとす課題】
【０００３】補助具の使用は、上肢がそのために拘束され、立ち止った際には補助具のためのスペースを必要とされるため、これらの欠点を解消しようとしたものである。
【課題を解決するための手段】
【０００４】歩行は、膝の屈伸動作の反復が伴うものであり、膝の伸展位の際に、膝は体重の負荷に遭遇する。膝痛防止ベルトのバネが、膝の伸展位の際には、屈曲から金属棒に変るため、これが上体の重力を膝関節を通り越して直接下腿部にかゝるため、膝痛防止に役立つ。
【考案の効果】
【０００５】上述のように、本考案の装着により、歩行が、より容易に可能となった。
【考案の実施するための最良の形態】
【０００６】歩行の際には、膝を伸展位にして、上下のコルセットを強力に人体に密着せしめて、固定し、次にゴムテープを強力に伸展して両端を固定する。そして横幅のひろめのズボンをはく。
【実施例】
【０００７】以下添付図面に従って一実施例を説明する。１は耐久性のプラスチックス等適宣素材にて一体化されたコルセット本体、２は鋼鉄の棒状のバネで、これはコルセットに乗せるようにして両端をコルセットにもうけられたバネ穴に収納する。３はゴムテープで２の両端をコルセットの両端に強く引っぱって固定する。４はマジックテープ付きのバンドで本器具使用時には最初にきつく下肢に装着する。
【図面の簡単な説明】
【０００８】
【図１】本考案の膝痛防止ベルトのを装着した立位の側面図である。
【図２】膝痛防止ベルトを装着した、膝関節屈曲位の側面図である。
【図３】コルセットのみをなゝめ上方から見た写生図である。
【符号の説明】
【０００９】１  コルセット
２  鋼鉄のバネ棒
３  ゴムテープ
４  マジックテープ付きバンド
５  バネ棒の収納穴
【図１】
0003138802.tif 000003
【図２】
0003138802.tif 000004
【図３】
0003138802.tif 000005
【手続補正書】
【提出日】平成19年9月25日(2007.9.25)
【手続補正１】
【補正対象書類名】明細書
【補正対象項目名】０００７
【補正方法】変更
【補正の内容】
【０００７】以下添付図面に従って一実施例を説明する。１は耐久性のプラスチックス等適宜素材にて一体化されたコルセット本体、２は鋼鉄の棒状のバネで、これはコルセットに乗せるようにして両端をコルセットにもうけられたバネ穴に収納する。３はゴムテープでこの両端をコルセットの両端に強く引っぱって固定する。４はベルトで本器具使用時には最初にきつく下肢に装着固定する。
【手続補正２】
【補正対象書類名】明細書
【補正対象項目名】０００９
【補正方法】変更
【補正の内容】
【０００９】１  コルセット２  鋼鉄のバネ棒３  ゴムテープ４  ベルト５  バネ棒の収納穴
【手続補正３】
【補正対象書類名】実用新案登録請求の範囲
【補正対象項目名】請求項１
【補正方法】変更
【補正の内容】
【請求項１】
膝関節をはさんで、大腿前面下部と下腿前面上部に肌にフィットするようにコルセットを密着せしめ、その上に棒状のバネを二本宙に浮いた状態にして両端をコルセットにセットし、二本のゴムテープの両端を大腿下部に密着したコルセット上端と、下腿上部にセットしたコルセットの下端に密着固定して、歩行することにより、上記のコルセット・バネ・ゴムテープの三つの同時作用により、上体の圧力が、膝関節内部にかゝることなく、その圧力を軽減せしめることを目的とした、膝痛防止ベルト。
(57)【要約】      （修正有）【課題】 ダニ等の死骸や綿ほこり等の出入りができない防ダニ寝具を提供する。【解決手段】表生地１と裏生地２に立体構造用マチテープ９を付けて立体構造区画を複数設け、表生地１と裏生地２を内側に折り曲げてその周縁を重ね合わせ、その間に接着剤４を付けた生地３を二つ折にして仮接着して、立体構造区画に充填物８を充填した後表生地１と裏生地２の周縁を本接着し、内側より表生地１と裏生地２を生地３で接着した防ダニ寝具。【選択図】図３
0003143709.tif 000002
【実用新案登録請求の範囲】
【請求項１】
表生地１と裏生地２の周縁を重ね合わせた間に、接着剤４を付けた生地３を二つ折にして接着したことを特徴とする防ダニ寝具。
【請求項２】
表生地１と裏生地２にマチテープを接着してヌード寝具に取り付けたことを特徴とする請求項１に記載の防ダニ寝具。
【請求項３】
表生地１と裏生地２をマチテープで立体構造の複数の区画を作り各区画に羽毛または、ポリエステル、綿等を充填したことを特徴とする請求項１に記載の防ダニ寝具。
【考案の詳細な説明】
【技術分野】
【０００１】
本考案は、ダニや綿ほこり等の出入りを防ぐための防ダニ寝具に関するものである。
【背景技術】
【０００２】
従来は周縁を接着だけの布団または、外側から周縁を接着しているため強度に弱く剥がれやすく風合いも良くない例えば、特許文献１、特許文献２参照。
【特許文献１】特許第２７６４３９３号公報
【特許文献２】特許第３４６９９１７号公報
【考案の開示】
【考案が解決しようとする課題】
【０００３】
表生地と裏生地の周縁を接着した布団では接着面がＬ字型になるため表生地と裏生地に力が加わると剥がれやすい欠点がある。
【０００４】
また、表生地と裏生地の周縁を接着し、周縁の上を別の生地で接着した布団では、周縁が厚くなり風合いを損なう、接着部分が外側にあるため引っ掛かりやすい欠点を解決するものである。
【課題を解決するための手段】
【０００５】
本考案は、表生地１と裏生地２の周縁を合わせ、その間に接着剤４を付けた生地３を二つ折にして接着することで、表生地１と裏生地２を裏側より接着することができる。
【０００６】
表生地１と裏生地２にマチテープを接着してヌード寝具に取り付けたものである。
【０００７】
また考案は、表生地１と裏生地２をマチテープで接着して立体構造の複数の区画を作り各区画に充填物９を充填できる。
【考案の効果】
【０００８】
表生地１と裏生地２の周縁の内側に生地３を接着することで強度、風合い、見た目もよく、ダニ等の死骸や綿ほこり等の出入りができない防ダニ寝具を提供できる。
【考案を実施するための最良の形態】
【０００９】
以下、本考案の実施の形態を図面に基づき説明する。
【実施例】
【００１０】
図１は、本考案に係る周縁を示す、断面図であり表生地１と裏生地２の周縁を重ね合わせ、その間に接着剤４を付けた生地３を接着したものである。
【００１１】
図２は、図１にマチテープでヌード寝具を取り付けた断面図である。
【００１２】
図３は、図１に立体構造を設けた断面図である。
【産業上の利用可能性】
【００１３】
高密度表生地と高密度裏生地の周縁を裏側より、接着剤を付けた高密度生地で接着することで、強度、風合い、見た目もよくダニ等の死骸や綿ほこり等の出入りができない布団ができる。
【００１４】
ヌード寝具または、立体構造の充填物を変えることで用途にあった防ダニ寝具ができる。
【図面の簡単な説明】
【００１５】
【図１】本考案に係る要部の断面図。
【図２】図１のヌード寝具を取り付けた断面図。
【図３】図１の立体構造区画の断面図。
【符号の説明】
【００１６】
１  表生地
２  裏生地
３  生地
４  接着剤
５  表用マチテープ
６  裏用マチテープ
７  ヌード寝具
８  充填物
９  立体構造用マチテープ
【図１】
0003143709.tif 000003
【図２】
0003143709.tif 000004
【図３】
0003143709.tif 000005
(57)【要約】      （修正有）【課題】遠赤外線を放射に必要な消費電力を低減させ、更に、遠赤外線を均等に放射するために、岩盤全体に加熱と蓄熱層を設け、黒鉛珪石（ブラックシリカ）からなる黒を基調とした、和風様式の遠赤外線放射ベッドを提供する。【解決手段】遠赤外線を放射する黒鉛珪石（ブラックシリカ）４の岩盤を配置して、その下部に蓄熱性と熱伝導性の良い素材３を配置して、更に、シリコンラバーヒータ２を配置して、粉体の黒鉛珪石（ブラックシリカ）からなる凝固材１により下部を固定し、遠赤外線を反射する反射板６を設けた、遠赤線放射板にした状態でベッドに配列し固定して、当該、遠赤外線放射板の平面周囲に畳を敷設した。【選択図】図２
0003143776.tif 000002
【実用新案登録請求の範囲】
【請求項１】
遠赤外線を放射する黒鉛珪石（ブラックシリカ）（４）の岩盤を配置して、その下部に蓄熱性と熱伝導性の良い素材（３）を配置して、更に、シリコンラバーヒータ（２）を配置して、粉体の黒鉛珪石（ブラックシリカ）からなる凝固材（１）により下部を固定し、当該下部に、遠赤外線を反射する反射板（６）を設けた、遠赤線放射板（５）にした状態でベッドに配列し固定して、当該、遠赤外線放射板の平面周囲に畳（７）を敷設した遠赤外線を放射する和風ベッド。
【考案の詳細な説明】
【詳細な説明】
【考案の属する分野】
【０００１】  本考案は、遠赤外線放射ベッドに係るもので、特に、遠赤外線の放射効率と、消費電力の低減に関するものである。
【背景技術】
【０００２】特許公開２００１−２２４４６５の遠赤外線放射ベッドは、セラミックス・炭素混合体を、赤外線蓄熱層として設けて使用している。【０００３】また、実用新案出願２００６−２０１７号の岩盤温浴装置では、ブラックシリカ等の鉱石を凝固材で固定し、下部で発熱体を過熱する岩盤温浴装置がある。
【考案が解決しようとする課題】
【０００４】  遠赤外線放射に必要な消費電力を低減させ、更に、遠赤外線を均等に放射するために、岩盤全体に加熱と蓄熱層を設け、黒鉛珪石（ブラックシリカ）からなる黒を基調とした、和風様式の遠赤外線放射ベッドを提供することである。
【考案を解決するための手段】
【０００５】  遠赤外線を放射する黒鉛珪石（ブラックシリカ）（４）の岩盤を配置して、その下部に蓄熱性と熱伝導性の良い素材（３）を配置して、更に、シリコンラバーヒータ（２）を配置して、粉体の黒鉛珪石（ブラックシリカ）からなる凝固材（１）により下部を固定し、遠赤外線を反射する反射板（６）を設けた、遠赤線放射板（５）にした状態でベッドに配列し固定して、当該、遠赤外線放射板の平面周囲に畳（７）を敷設した和風様式の遠赤線放射ベッドである。
【考案の効果】
【０００６】  シリコンラバーヒータ２の、その上面に蓄熱性と熱伝導性の良い素材３を配置すると、シリコンラバーヒータから出た熱は、一度熱伝導性の良い素材を伝達して、ベッド全体に熱が拡散して、蓄熱性の良い素材３から熱が放出されると、遠赤外線放射板５から遠赤が放射されるので、岩盤温度を４０度に設定して計測した場合に、消費電力が１時間当たり５円〜８円に低減できたのである。
【０００７】  黒鉛珪石（ブラックシリカ）は、外観から黒色の岩石なので、黒色を基調にして遠赤外線を放射する石板の周囲を、黒色の畳７を使用する事で、上品で高貴な質感が得られるようになった。
【考案を実施するための最良の形態】
【０００８】    ▲１▼幅４０ｃｍ横２５ｃｍを２枚、▲２▼幅４０ｃｍ横３０ｃｍを４枚、からなる四角形状の六枚の遠赤外線放射板を、▲１▼・▲２▼・▲２▼・▲２▼・▲２▼・▲１▼の順番にベッドの上に配置する。そして、▲１▼には８０Ｗのシリコンラバーヒータを１個、▲２▼には８０Ｗのシリコンラバーヒータ２個を組み込む場合に最良の効果を得ることができる。【０００９】  蓄熱性と熱伝導性の良い素材３として、厚さ１．２ｍｍ〜１．５ｍｍの銅板を使用する場合が最良の様態であり、更に、遠赤線放射板５底面には遠赤外線を反射させる０．８ｍｍ〜１．５ｍｍのアルミニュウム板を貼着した場合が最良の様態である。
【実施例】
【００１０】  以下、この考案の好適な実施例を例示的に詳しく説明する。ただし、この実施例に記載されている構成方法、構成装置、構成内容、構成部品の寸法、材質、形状、その相対配置などは、特に特定的な記載がないかぎりは、この考案の範囲をそれらのみに限定する趣旨のものでなく、単なる説明例にすぎない。【００１１】  図２より、加熱することで遠赤外線を放射する黒鉛珪石（ブラックシリカ）４の岩盤を均等に配置して、岩盤の隙間をブラックシリカの紛体で隙間無く接着固定した。次に、蓄熱性と熱伝導性の良い素材として銅版３を均一になるように配置する、そして、シリコンラバーヒータ２を配置して、黒鉛珪石の粉体からなる凝固材１で固定して、反射板６を設けたものが遠赤外線放射板５である。【００１２】  図１より、シリコンラバーヒータを埋め込んだ遠赤外線放射版５を、ベッドの上面に▲１▼幅４０ｃｍ横２５ｃｍ、▲２▼幅４０ｃｍ横３０ｃｍ、▲２▼幅４０ｃｍ横３０ｃｍ、▲２▼幅４０ｃｍ横３０ｃｍ、▲２▼幅４０ｃｍ横３０ｃｍ、▲１▼幅４０ｃｍ横２５ｃｍの形体で配置する。【００１３】  各遠赤外線放射板５の材質は、黒鉛珪石（ブラックシリカ）が主成分であり、その放射率は、８７．８％〜９０％の遠赤外線を放射する材料を使用する。
そして、蓄熱性と熱伝導性の良い素材として、シリコンラバーヒータ２を上面に銅板を使用するのが好適な様態である。更に、下部に反射板として１ｍｍのアルミニュウム板を使用して、遠赤外線を上方向に反射させるものである。【００１４】  仕上げとして、畳表には、イグサを黒色処理した物を使用して、畳縁の生地は、黒色の布地に金色の模様を入れることで、高級な風格と気品が出来上がる。
【図面の簡単な説明】
【００１５】
【図１】  本発明の遠赤外線を放射するベッド
【図２】  遠赤放射板の断面図である。
【図３】  本発明の電気部のブロック図である。
【符号の説明】
【００１６】    １  凝固材
２  シリコンラバーヒータ
３  蓄熱性と熱伝導性の良い素材
４  黒鉛珪石（ブラックシリカ）
５  遠赤放射板
６  反射板
７  黒色の畳
【図１】
0003143776.tif 000003
【図２】
0003143776.tif 000004
【図３】
0003143776.tif 000005